(57)【特許請求の範囲】
【請求項１】
内容液が内部に充填されると共に、軸方向先端部に形成された吐出口と軸方向基端部に形成された規制部とを有するシリンダと、
前記シリンダの内側にその軸方向基端側から挿入されたピストンと、
前記ピストンの操作部に対して軸回りに回転可能に装着される基部と、前記基部から軸方向に延在し、前記規制部と軸方向で向かい合う脚部と、を有するストッパと、を備え、
前記ピストンにおいて少なくとも前記シリンダから軸方向基端側に突出する突出部分には、径方向内方に窪む凹部が形成され、
前記脚部は、周方向で前記凹部と位置合わせされた少なくとも軸方向先端部が、軸方向基端部に対して径方向内方に弾性変位して前記凹部に収容されたときに、前記規制部よりも径方向内側に位置するように形成されていることを特徴とするシリンジ容器。
【請求項２】
前記脚部の軸方向先端部が、軸方向先端に向かうにしたがって薄肉となるテーパ面となっていることを特徴とする請求項１に記載のシリンジ容器。
【発明の詳細な説明】
【技術分野】
【０００１】
本発明は、シリンジ容器に関するものである。
【背景技術】
【０００２】
この種のシリンジ容器として、従来、筒状をなすシリンダと、シリンダの内側にその軸方向基端側から挿入されたピストンと、を備える構成が知られている。このようなシリンジ容器において、ピストンの押込動作を途中で停止させることにより、シリンダ内に充填されている内容液を段階的に吐出させることを可能とした構成が提案されている（例えば、特許文献１参照）。
【０００３】
このシリンジ容器のピストンには、軸方向基端側から先端側に向かうにしたがって径方向外方に向けて突出すると共に径方向内方に向けて弾性変形する弾性係合片が設けられている。そして、この弾性係合片の軸方向先端がシリンダのフランジ部に当接することにより、ピストンの押込動作が途中で停止される。内容液をさらに吐出する場合には、弾性係合片を径方向内方に弾性変形させて弾性係合片による押込動作の規制を解除し、ピストンをシリンダに対してさらに押し込む。
【先行技術文献】
【特許文献】
【０００４】
【特許文献１】特開２００８−２００３１６号公報
【発明の概要】
【発明が解決しようとする課題】
【０００５】
しかしながら、従来のシリンジ容器では、弾性係合片に対して不意にかかる外力によって、弾性係合片が径方向内方に弾性変形してしまい、弾性係合片による規制が予期せず解除されることがある。
【０００６】
本発明は、前述の課題に鑑みてなされたもので、シリンジ容器に不意に外力がかかっても押込動作の規制が予期せず解除されることを防止するシリンジ容器を提供することを目的とする。
【課題を解決するための手段】
【０００７】
本発明は、上記のような課題を解決するために以下のような手段を採用した。すなわち、本発明のシリンジ容器は、内容液が内部に充填されると共に、軸方向先端部に形成された吐出口と軸方向基端部に形成された規制部とを有するシリンダと、前記シリンダの内側にその軸方向基端側から挿入されたピストンと、前記ピストンの操作部に対して軸回りに回転可能に装着される基部と、前記基部から軸方向に延在し、前記規制部と軸方向で向かい合う脚部と、を有するストッパと、を備え、前記ピストンにおいて少なくとも前記シリンダから軸方向基端側に突出する突出部分には、径方向内方に窪む凹部が形成され、前記脚部は、周方向で前記凹部と位置合わせされた少なくとも軸方向先端部が、軸方向基端部に対して径方向内方に弾性変位して前記凹部に収容されたときに、前記規制部よりも径方向内側に位置するように形成されていることを特徴とする。
【０００８】
この発明では、ストッパの脚部及びピストンの凹部それぞれの周方向に沿う位置を互いに異ならせている場合には、脚部の径方向内方への弾性変位が規制されるため、脚部に対して径方向内方に向かう力が加わっても、この脚部を規制部に軸方向で向かい合わせたままに維持することが可能になり、押込動作の規制が解除されることを防止できる。
したがって、ピストンをシリンダに対して押し込んでも、脚部の軸方向先端側がシリンダの規制部に当接するため、シリンダに対するピストンの押込動作が規制される。一方、ストッパをピストンに対して軸回りに回転させてストッパの脚部及びピストンの凹部それぞれの周方向に沿う位置を合わせ、脚部に対して径方向内方に向かう力をかけると、脚部の少なくとも軸方向先端部が径方向内方に弾性変位して、凹部内に収容され、規制部よりも径方向内側に位置する。そのため、脚部の少なくとも軸方向先端部がシリンダの内側にその軸方向基端側から進入することが可能となり、脚部によるピストンの押込動作の規制が解除され、ピストンをさらに押し込むことができる。
このように、ストッパをピストンに対して軸回りに回転させない限り、脚部に径方向内側に向かう力がかかっても、脚部が径方向内方に弾性変形して押込動作の規制が解除されることを防止できる。
また、ピストンにストッパを装着する構成となっているため、ピストンやシリンダの構成を現行同様に維持できる。
【０００９】
また、本発明のシリンジ容器では、前記脚部の軸方向先端部が、軸方向先端に向かうにしたがって薄肉となるテーパ面となっていてもよい。
この場合では、脚部及び凹部それぞれを周方向に沿って位置合わせした状態で、ピストンを押し込もうとすると、脚部のテーパ面がシリンダにおける軸方向基端側の開口部に摺接しつつシリンダの内側に進入しようとする。そのため、脚部に対して径方向内方に向かう力がかかり、脚部の軸方向先端側が弾性変形する。これにより、脚部の軸方向先端側は、この脚部に対応する凹部内に収容される。このように、指などで脚部に対して径方向内方に向かう力をかけることなく、ピストンを押し込むだけで脚部の少なくとも軸方向先端部を径方向内方に弾性変位させるので、ピストンの押込動作がより簡素になる。
【発明の効果】
【００１０】
この発明にかかるシリンジ容器によれば、ストッパをピストンに対して軸回りに回転させない限り、脚部に径方向内側に向かう力がかかっても、脚部が径方向内方に弾性変形して押込動作の規制が解除されることを防止できる。また、ピストンやシリンダの構成を現行同様に維持しつつ前述の作用効果を奏させることができる。
【図面の簡単な説明】
【００１１】
【図１】本発明の一実施形態におけるシリンジ容器を示す軸方向断面図である。
【図２】図１のシリンジ容器のストッパを示す図であって、（ａ）が下面図であり、（ｂ）が部分斜視図である。
【図３】図２（ａ）の部分拡大図である。
【図４】図１のシリンジ容器の押込動作規制状態を示す軸方向断面図である。
【図５】図１のシリンジ容器の使用方法を説明するストッパを示す下面図であって、（ａ）が下面図であり、（ｂ）が脚部が弾性変形した状態の部分斜視図である。
【図６】ピストンを押し込んだ状態のシリンジ容器を示す軸方向断面図である。
【図７】図６の状態におけるストッパを示す下面図である。
【図８】本発明を適用可能な他のシリンジ容器のストッパを示す部分拡大図である。
【発明を実施するための形態】
【００１２】
以下、本発明におけるシリンジ容器の一実施形態を、図面に基づいて説明する。なお、以下の説明に用いる各図面では、各部材を認識可能な大きさとするために縮尺を適宜変更している。
【００１３】
本実施形態におけるシリンジ容器１は、図１に示すように、内容液が内部に充填される円筒状のシリンダ２と、シリンダ２の内側にその軸方向基端側から挿入された棒状のピストン３と、ピストン３に嵌合されたストッパ４と、を備える。
これらシリンダ２及びピストン３は、それぞれの中心軸線が共通軸上に位置する状態で配設されている。以下、この共通軸を中心軸Ｏと称し、中心軸Ｏに直交する方向を径方向とし、中心軸Ｏ回りの方向を周方向とする。
【００１４】
シリンダ２は、内容液が充填される摺動筒部１１と、摺動筒部１１の軸方向先端部に配設された吐出筒部１２と、を備えている。これら摺動筒部１１及び吐出筒部１２は、中心軸Ｏと同軸に配設されている。
摺動筒部１１は、円筒状をなしており、摺動筒部１１の軸方向基端部には、径方向外方に向けて突出するフランジ部１３が全周にわたって形成されている。このフランジ部１３には、ピストン３をシリンダ２に押し込む際やピストン３をシリンダ２から引っ張る際に指などを掛けるためのフィンガーグリップ１４が装着されている。
【００１５】
フィンガーグリップ１４は、平面視で円環状をなす一対の第１円環部１５及び第２円環部（規制部）１６と、第１及び第２円環部１５、１６それぞれの外周縁同士を接続する連結部１７と、を有する。これら第１及び第２円環部１５、１６と連結部１７とは、中心軸Ｏと同軸に配設されている。
第１円環部１５は、摺動筒部１１のフランジ部１３よりも軸方向先端側に配設されており、その径方向中央部には、摺動筒部１１が挿通される第１挿通孔１５Ａが形成されている。
第２円環部１６は、摺動筒部１１のフランジ部１３よりも軸方向基端側に配設されており、その径方向中央部には、ピストン３の後述するピストン本体部２１が挿通される第２挿通孔１６Ａが形成されている。この第２挿通孔１６Ａは、摺動筒部１１の軸方向基端部に形成された開口部よりも小径となっている。
また、第１及び第２円環部１５、１６によって、前記フランジ部１３が挟持されている。
【００１６】
吐出筒部１２は、円筒状をなしており、その内径が摺動筒部１１の内径よりも小さくなっている。そして、吐出筒部１２の内側は、摺動筒部１１の内側に連通しており、吐出筒部１２の軸方向先端には、シリンダ２内の内容液を吐出する吐出口１２Ａが形成されている。
【００１７】
ピストン３は、摺動筒部１１の内側にその軸方向基端側から挿入されており、シリンダ２に対して相対的に中心軸Ｏに沿って往復移動する。そして、ピストン３は、中心軸Ｏに沿って延在するピストン本体部２１と、ピストン本体部２１の軸方向基端部に設けられた操作部２２と、ピストン本体部２１の軸方向先端部に設けられた摺動部２３と、を備えている。
【００１８】
ピストン本体部２１は、図１及び図２に示すように、中心軸Ｏに沿って延在する４つの突リブ部２４を横断面十字状に配設した形状をなしており、摺動筒部１１の内側において中心軸Ｏに沿って往復移動可能に挿入されている。したがって、ピストン本体部２１において摺動筒部１１から軸方向基端側に向けて突出する突出部分２１Ａには、周方向で隣り合う２つの突リブ部２４間によって径方向内方に窪む４つの凹部２１Ｂが画成される。
また、ピストン本体部２１の軸方向先端部には、円柱状をなし、摺動部２３を装着する装着部２５が軸方向先端側に向けて突設されている。この装着部２５の外周面には、摺動部２３の雌ネジ部と螺合する雄ネジ部が形成されている。
【００１９】
操作部２２は、ピストン本体部２１の軸方向基端部から全周にわたって径方向外方に向けて突出しており、ピストン３をシリンダ２内に押し込む際に指などで押圧されたり、ピストン３をシリンダ２から引っ張る際に指などを掛けられたり指で摘まれたりする。
摺動部２３は、軸方向先端面がテーパ状をなす円柱状をなしており、ゴムや樹脂などから形成されている。そして、摺動部２３は、ピストン本体部２１の雄ネジ部に螺着されている。摺動部２３は、摺動筒部１１の内周面に対して中心軸Ｏに沿って往復移動可能に摺接している。
【００２０】
ストッパ４は、操作部２２に装着される基部３１と、基部３１から軸方向先端側に向けて延在する一対の脚部３２と、基部３１と脚部３２とを接続する接続部３３と、を備える。
基部３１は、薄い円筒状をなしており、操作部２２に外嵌されている。また、基部３１の軸方向先端部には、径方向内方に向けて一対の突出部３４が突設されている。この突出部３４は、中心軸Ｏを挟んで径方向で向かい合うように配置されており、操作部２２の軸方向先端面に当接している。
【００２１】
脚部３２は、中心軸Ｏに沿って延在する板状をなしており、突出部３４に対して周方向で９０°ずらした位置において、中心軸Ｏを挟んで径方向で向かい合うように一対配設されている。また、脚部３２は、軸方向で第２円環部１６と向かい合うと共に、径方向で突リブ部２４と向かい合っており、脚部３２の周方向の幅は、ピストン本体部２１の凹部２１Ｂの周方向の幅よりも狭くなっている。さらに、脚部３２の軸方向先端部には、軸方向先端側に向かうにしたがって薄肉になるテーパ面３２Ａが形成されている。このテーパ面３２Ａは、径方向外方に向けて凸状となる面や平坦面（傾斜面）などで構成することができる。
接続部３３は、図２及び図３に示すように、突出部３４の周方向端部と脚部３２の軸方向基端部における周方向端部とを接続しており、径方向の厚さが脚部３２よりも薄くなっている。さらに、接続部３３の周方向両端部は、周方向中央部よりも径方向の厚さが薄くなっており、ヒンジ状をなしている。
【００２２】
次に、以上のような構成のシリンジ容器１を用いた内容液の吐出方法について説明する。まず、ピストン３の操作部２２を軸方向先端側に向けて押し込むと、ピストン３の摺動部２３は、押し込みに伴ってシリンダ２の摺動筒部１１の内周面に沿って軸方向先端側に向けて摺動する。そして、摺動部２３の移動量に対応する体積の内容液は、吐出筒部１２の吐出口１２Ａから吐出される。
【００２３】
そして、操作部２２を押し込み続けると、図４に示すように、脚部３２の軸方向先端部は、中心軸Ｏ方向で第２円環部１６と向かい合っているため、フィンガーグリップ１４の第２円環部１６の開口縁部に当接する。ここで、操作部２２を押し込もうとすると、脚部３２のテーパ面３２Ａは、第２円環部１６の開口縁部に摺接しつつ径方向内方に弾性変形しようとする。しかし、脚部３２の径方向内面がピストン本体部２１の突リブ部２４と径方向で向かい合っているので、この突リブ部２４によって脚部３２の弾性変形が規制される。そのため、脚部３２の軸方向先端部は、第２円環部１６の開口縁部に当接したままとなる。
また、この状態で脚部３２に径方向内方に向かう力がかかっても、同様に脚部３２の径方向内方への弾性変形が突リブ部２４によって規制されているため、脚部３２の軸方向先端部は、第２円環部１６の開口縁部に当接したままとなる。
これにより、ピストン３の押込動作が脚部３２によって規制される。このようにして、１段階目の内容液の吐出を行なう。
【００２４】
脚部３２によるピストン３の押込動作の規制を解除するためには、図５に示すように、ストッパ４をピストン３に対して中心軸Ｏ回りに４５°回転させる。これにより、脚部３２及び凹部２１Ｂそれぞれの周方向の位置を合わせる。この状態でピストン３をシリンダ２に押し込むと、脚部３２の軸方向先端部のテーパ面３２Ａは、上述のように、第２円環部１６の開口縁部に摺接しつつ径方向内方に弾性変形し、摺動筒部１１の内側に進入しようとする。ここで、脚部３２の軸方向先端部は、図５及び図６に示すように、突リブ部２４ではなく凹部２１Ｂと径方向で向かい合っているので、ピストン本体部２１の突リブ部２４によって規制されることなく、径方向内方に向けて弾性変形する。
このように、ピストン３の押込動作が脚部３２によって規制されないので、ピストン３をシリンダ２に対して押し込むと、脚部３２が軸方向先端側から基端側に向けて順次径方向内方に向けて弾性変形して凹部２１Ｂ内に収容されながら、ピストン３がシリンダ２に対して押し込まれていく。
【００２５】
ここで、接続部３３の周方向両端部がヒンジ状をなしているため、脚部３２の軸方向基端部は、図７に示すように、径方向内方に向けて弾性変位し、凹部２１Ｂ内に収容される。このため、脚部３２は、軸方向の全長にわたって凹部２１Ｂ内に収容される。
このように、脚部３２と凹部２１Ｂとを周方向で位置合わせした状態で、ピストン３をシリンダ２に対して押し込むことにより、２段階目の内容液の吐出を行う。
なお、脚部３２と凹部２１Ｂとを周方向で位置合わせした状態で、脚部３２に径方向内方に向かう力をかけて脚部３２全体を径方向内方に弾性変位させてもよい。すなわち、あらかじめ脚部３２を凹部２１Ｂに収容させた状態でピストン３を押し込むことにより、２段階目の内容液の吐出を行ってもよい。この際、例えば接続部３３の周方向端部を弾性変位の基点として、脚部３２の軸方向基端部を含む全体を径方向に弾性変位（反転変位）させることも可能である。
以上のようにして、シリンジ容器１内の内容液を吐出する。
【００２６】
以上のような構成のシリンジ容器１によれば、脚部３２及び凹部２１Ｂそれぞれの周方向に沿う位置を異ならせている場合には突リブ部２４が脚部３２の弾性変位を規制するので、ストッパ４をピストン３に対して中心軸Ｏ回りに回転させない限り、脚部３２に径方向内方に向かう力がかかっても、脚部３２が径方向内方に弾性変形して押込動作の規制が解除されることを防止できる。
また、ストッパ４がピストン３に装着される構成となっているため、ピストン３やシリンダ２の構成を現行同様に維持することができる。
【００２７】
また、脚部３２にテーパ面３２Ａを形成することで、指などで脚部３２に対して径方向内方に向かう力をかけることなく、ピストン３を押し込むだけで脚部３２の少なくとも軸方向先端部を径方向内方に弾性変位させることもできるので、ピストン３の押込動作がより簡素になる。
さらに、接続部３３の周方向両端部がヒンジ状となっており、脚部３２の軸方向基端部が径方向内方に弾性変位するため、脚部３２の軸方向基端部の径方向内方への変位を十分に確保できると共に、脚部３２全体を凹部２１Ｂ内に収容してピストン３のストローク量を十分に確保することができる。
【００２８】
なお、本発明は上記実施形態に限定されるものではなく、本発明の趣旨を逸脱しない範囲において種々の変更を加えることができる。
例えば、ストッパの接続部は、図８に示す接続部５１のように、径方向の厚さを周方向全長にわたって均一であってもよい。ここで、接続部の径方向の厚さは、脚部を径方向内方に向けて弾性変位することができれば、適宜変更してもよい。このとき、脚部は、軸方向基端部が径方向内方に向けて弾性変位せずに軸方向先端部が径方向内方に向けて弾性変形する構成であってもよい。
【００２９】
ストッパは、一対の脚部を有しているが、少なくとも１つの脚部を有していればよい。
脚部の軸方向先端部には、テーパ面が形成されているが、脚部の少なくとも軸方向先端部を径方向内方に向けて弾性変形させて凹部に収容させることができれば、テーパ面が形成されなくてもよい。
シリンダのフランジ部には、フィンガーグリップが嵌合されているが、フィンガーグリップを設けない構成であってもよい。この場合、シリンダのフランジ部を規制部として機能させてもよい。
ピストン本体部には、複数の凹部が形成されているが、脚部に対応する数の凹部が形成されていればよい。また、凹部は、ピストン本体部の中心軸方向の全長にわたって形成されているが、脚部の少なくとも軸方向先端部を収容できる形状となっていれば、適宜変更してもよい。
シリンジ容器は、内容液を２段階で吐出できる構成となっているが、例えば長さの異なる複数の脚部をストッパに形成することにより、３段階以上で吐出できる構成としてもよく、例えば脚部をピストン本体部の軸方向に沿って延在させ、使用前の状態において規制部に当接させて段階的には吐出しない構成（使用前におけるストッパ）としてもよい。
【産業上の利用可能性】
【００３０】
この発明によれば、シリンジ容器に不意に外力がかかっても押込動作の規制が予期せず解除されることを防止するシリンジ容器に関して、産業上の利用可能性が認められる。
【符号の説明】
【００３１】
１  シリンジ容器、２  シリンダ、３  ピストン、４  ストッパ、１２Ａ  吐出口、１６  第２円環部（規制部）、２１Ａ  突出部分、２１Ｂ  凹部、３２  脚部、３２Ａ  テーパ面、Ｏ  中心軸
【図１】
0005677833.tif 000002
【図２】
0005677833.tif 000003
【図３】
0005677833.tif 000004
【図４】
0005677833.tif 000005
【図５】
0005677833.tif 000006
【図６】
0005677833.tif 000007
【図７】
0005677833.tif 000008
【図８】
0005677833.tif 000009